(57)【要約】【課題】装着が簡単な枕部材入りお太鼓帯の提供。【解決手段】少なくとも表面に適宜の模様が付された帯本体部１２と、お太鼓用布地２３を折り重ねた太鼓部２２とからなり、お太鼓部２２は、第１面部２４〜第３面部２６と、第１面部２４の上縁２４ａ側から延出させた上側折込み面部２７と、第３面部２６の下縁２６ａ側から延出させた下側垂れ面部２８とにお太鼓用布地２３を区切り、上側折込み面部２７を第３面部２６の裏側に折り込み枕部材３７を内蔵させた１面部２４〜第３面部２６を相互に対面させて形成され、帯本体部１２は、一方の端部をお太鼓部２２側に固定させてお太鼓部２２と一体化させ、帯本体部１２側が備える一側止着手段とお太鼓部２２側が備える他側止着手段５２とを止着させて身体胴回りへの装着を可能とした。【選択図】図１
2015140489.tif 000002
【特許請求の範囲】
【請求項１】
帯幅が１４．５〜１５．５ｃｍで、装着者のアンダーバスト長さを基準とした適宜の帯長さを備える帯本体部と、縦長さが８７．５〜８９．５ｃｍで、横長さが２８．５〜２９．５ｍのお太鼓用布地を縦方向に折り重ねて形成されるお太鼓部とで構成され、
該お太鼓部は、それぞれの縦長さを同じくして上から順に縦方向に連続させた第１面部〜第３面部と、前記第１面部の上縁側から延出させた上側折返し面部と、前記第３面部の下縁側から延出させた下側垂れ面部とに前記お太鼓用布地を区切り、前記上側折返し面部を前記第３面部の裏側に位置させて枕部材を遊動困難に内蔵させた状態のもとでこれら前記１面部〜前記第３面部が相互に対面合致するように折り重ねて一体的に形成され、
前記帯本体部は、その長さ方向での一方の端部を前記お太鼓部の対応側縁側から差し込んで位置固定することで該お太鼓部側と一体化させるとともに、
前記帯本体部側に具備させた一側止着手段と、前記お太鼓部側側に具備させた他側止着手段とを介して相互に止着させることで身体胴回りへの装着を可能としたことを特徴とする枕部材入りお太鼓帯。
【請求項２】
前記帯本体部は、適宜の模様が付された帯用表地と、該帯用表地の裏面側に一体的に縫着された帯用裏地とで形成した請求項１に記載の枕部材入りお太鼓帯。
【請求項３】
前記帯本体部は、縦幅を２９．５〜３０．５ｃｍとする帯用布地を半幅に縦折りし、かつ、芯材を内蔵させて形成した請求項１に記載の枕部材入りお太鼓帯。
【請求項４】
前記帯本体部には、前板を内蔵させた請求項１ないし３のいずれかに記載の枕部材入りお太鼓帯。
【請求項５】
前記枕部材は、前記お太鼓部内に配置した左右一対のプラスチック板を介して下支えさせた請求項１ないし４のいずれかに記載の枕部材入りお太鼓帯。
【請求項６】
前記一側止着手段は、前記帯本体部の開放端縁側から引き出された上下一対の一側紐材により形成し、前記他側止着手段は、お太鼓部の開放縦縁側から引き出された上下一対の他側紐材により形成し、左右方向で対向する位置関係にある前記一側紐材と前記他側紐材とをそれぞれ結び合わせることで止着を可能とした請求項１ないし５のいずれかに記載の枕部材入りお太鼓帯。
【請求項７】
前記一側止着手段は、相互を掛合させて止着させるべく前記帯本体部の一端部の裏面側上縁部に配置された一方の長寸面ファスナーと前記一端部の表面側中央部位に配置された他方の中寸面ファスナーとで形成し、前記他側止着手段は、相互を掛合して止着させるべく前記お太鼓部における裏面中央部位の開放縦縁側を始端としてその横幅方向に配置された一方の長寸面ファスナーと前記折込み面部の裏面の横幅方向に左右一対に配置された他方の短寸面ファスナーとで形成した請求項１ないし５のいずれかに記載の枕部材入りお太鼓帯。
【発明の詳細な説明】
【技術分野】
【０００１】
本発明は、誰もが極く容易に身体に装着することができる枕部材入りお太鼓帯に関する技術である。
【背景技術】
【０００２】
着物は、日本古来からの民族衣装として様々な場所で着用されてきており、その種類も着用の目的や着用者の年齢、着用場所などに応じ得るように種々の態様のもとで提供されてきている。
【０００３】
また、着物は、上から下に向けて流れるようにして着用することができるように上下一体となった一部式着物（対丈着物）が一般的であり、これを着用することにより着物本来の美しさを演出することができるようになっている。
【０００４】
しかし、一部式着物（対丈着物）は、着付けが難しいことから、洋服のように簡単に着用することはできず、一人で着付けができるようになるまでには相当程度の熟練を要するという問題があり、また、一人で着付けができるようになったとしても着付けを終えるまでにはどうしてもある程度の作業時間を要するという煩雑さがあった。
【０００５】
このため、一部式着物（対丈着物）にみられた上記問題を解消するものとしては、上下が別体となった二部式着物も既に提案されている。
【０００６】
一方、これら一部式着物や二部式着物は、帯を装着して着こなされることになる。その場合、帯は、１本を半分の幅に折り曲げて胴回りに複数回巻き付けた上で、帯枕や帯板やクリップ等の多くの小物を用いながら手を後に回して着付ける必要があった。
【０００７】
しかも、帯は、その巻き方によっては着崩れを起こしやすいことから、きちんと巻くための熟練の技が必要であった。また、帯枕を止めるために用いられた紐は、これを隠すために帯揚げをし、帯をしっかり固定するために帯締めを用いる必要があったことから、胴回りにすっきり感がなくなってしまうという不具合もあった。
【０００８】
従来からある帯にみられた上記課題を解決するものとしては、例えば特許文献１に示されているように誰もが簡単で、かつ、安定的に装着できるようにした簡易帯も既に提案されている。
【先行技術文献】
【特許文献】
【０００９】
【特許文献１】特開２０００−１７００２２号公報
【００１０】
図１３は、特許文献１における図１を再掲したものである。同図によれば、帯は、幅３０ｃｍ、長さ９４ｃｍの帯地２を折り曲げてなる太鼓部分Ａと、幅１５ｃｍの半幅の胴部分Ｂとで構成されている。そして、該胴部分Ｂは、長さ１６０ｃｍの胴本体部分５と、長さ４９ｃｍの手先部分６とで形成されている。
【００１１】
これらのうち、太鼓部分Ａは、帯地２を、一端が太鼓１の内側下方に４ｃｍ長の垂れとなって露出し、太鼓１の内側に折り曲げて重合部分４を形成し、他端が重合部分４を覆って太鼓１を形成して太鼓部分Ａの裏面に位置するように折り曲げられて形成されている。
【００１２】
また、胴部分Ｂにおける胴本体部分５は、約９０ｃｍ長を表地７として太鼓１の一側辺から露出させ、先端部８を太鼓１の一側辺から太鼓１の内側で重合部分４を通り、太鼓１の他側辺で折り返され、太鼓１の内側で重合部分４の裏側を通って太鼓１の一側辺から１２ｃｍの長さで突出した状態のもとで表地７の裏面に縫着されている。
【００１３】
さらに、胴部分Ｂにおける手先部分６は、胴本体部分５の表地７の表面に一端を手先９として約４ｃｍの長さで露出させた状態のもとで、他端を太鼓１の内側と胴本体部分５の表地７の表面とを覆い、太鼓１の他側辺から約３ｃｍ露出した状態のもとで折り返され、太鼓部分Ａの裏面に縫着されている。
【００１４】
しかも、太鼓部分Ａの裏側には、幅方向全長にわたってベルベット式ファスナー１０ａが取り付けられている。また、胴本体部分５の表地７の表面端部には、ベルベット式ファスナー１０ａと対をなすベルベット式ファスナー１０ｂが取り付けられている。
【００１５】
このため、特許文献１の「簡易帯」によれば、太鼓１が背中に位置するようにして胴本体部分５を巻き付け、胴本体部分５の端部のベルベット式ファスナー１０ｂを、太鼓部分Ａのベルベット式ファスナー１０ａに係止するだけで、容易に装着することができることになる。
【発明の概要】
【発明が解決しようとする課題】
【００１６】
しかし、特許文献１の「簡易帯」は、太鼓部分Ａにおける太鼓１の内側に重合部分４が形成されているとはしても、枕を内在させた際のような装着時の膨らみ感が得られないほか、太鼓部分Ａの全体に対し安定した保形性を付与できない不都合があった。
【００１７】
本発明者らは、日本の民族衣装ともいうべき着物を大多数の日本人が一人では着用できないという現状を打破して伝統を復活せんとする強い信念のもとで、誰もが普段着として気軽に、かつ、簡単に着用できる一部式着物（対丈着物）や二部式着物を開発するなかで、これらの着物との相性を考慮しながら誰もが簡単に装着して使用することができる枕部材入りお太鼓帯の開発に向けて鋭意努力を重ねてきた。
【００１８】
すなわち、本発明は、従来からある簡易帯にみられた上記課題に鑑み、本発明者らが開発してきた一部式着物（対丈着物）や二部式着物にもよく馴染ませて好適に使用できるだけでなく、その装着作業も非常に簡素化することができる枕部材入りお太鼓帯を提供することを目的とする。
【課題を解決するための手段】
【００１９】
本発明は、上記目的を達成すべくなされたものであり、帯幅が１４．５〜１５．５ｃｍで、装着者のアンダーバスト長さを基準とした適宜の帯長さを備える帯本体部と、縦長さが８７．５〜８９．５ｃｍで、横長さが２８．５〜２９．５ｍのお太鼓用布地を縦方向に折り重ねて形成されるお太鼓部とで構成され、該お太鼓部は、それぞれの縦長さを同じくして上から順に縦方向に連続させた第１面部〜第３面部と、前記第１面部の上縁側から延出させた上側折返し面部と、前記第３面部の下縁側から延出させた下側垂れ面部とに前記お太鼓用布地を区切り、前記上側折返し面部を前記第３面部の裏側に位置させて枕部材を遊動困難に内蔵させた状態のもとでこれら前記１面部〜前記第３面部が相互に対面合致するように折り重ねて一体的に形成され、前記帯本体部は、その長さ方向での一方の端部を前記お太鼓部の対応側縁側から差し込んで位置固定することで該お太鼓部側と一体化させるとともに、前記帯本体部側に具備させた一側止着手段と、前記お太鼓部側側に具備させた他側止着手段とを介して相互に止着させることで身体胴回りへの装着を可能としたことを最も主要な特徴とする。
【００２０】
この場合、前記帯本体部は、適宜の模様が付された帯用表地と、該帯用表地の裏面側に一体的に縫着された帯用裏地とで形成したり、縦幅を２９．５〜３０．５ｃｍとする帯用布地を半幅に縦折りし、かつ、芯材を内蔵させて形成することができる。
【００２１】
また、前記帯本体部には、前板を内蔵させるのが望ましい。さらに、前記枕部材は、前記お太鼓部内に配置した左右一対のプラスチック板を介して下支えさせるのが好ましい。
【００２２】
また、前記一側止着手段は、前記帯本体部の開放端縁側から引き出された上下一対の一側紐材により形成し、前記他側止着手段は、お太鼓部の開放縦縁側から引き出された上下一対の他側紐材により形成し、左右方向で対向する位置関係にある前記一側紐材と前記他側紐材とをそれぞれ結び合わせることで止着を可能に形成することができる。
【００２３】
さらに、前記一側止着手段は、相互を掛合させて止着させるべく前記帯本体部の一端部の裏面側上縁部に配置された一方の長寸面ファスナーと前記一端部の表面側中央部位に配置された他方の中寸面ファスナーとで形成し、前記他側止着手段は、相互を掛合して止着させるべく前記お太鼓部における裏面中央部位の開放縦縁側を始端としてその横幅方向に配置された一方の長寸面ファスナーと前記折込み面部の裏面の横幅方向に左右一対に配置された他方の短寸面ファスナーとで形成してもよい。
【発明の効果】
【００２４】
本発明のうち、請求項１に記載の発明によれば、枕部材入りお太鼓帯は、お太鼓結びという煩雑な作業を経ることなく、予め枕部材を遊動困難に内蔵させてなるお太鼓部を備えているので、お太鼓結びと同様な装着効果を簡単に得ることができる。また、枕部材入りお太鼓帯は、単に一側止着手段と他側止着手段とを止着するのみで極く簡単に装着することができ、止着を解消するのみで簡単に身体から離脱させるこもできる。
【００２５】
請求項２に記載の発明によれば、適宜の模様が付された帯用表地の裏面側に帯用裏地を一体的に縫着することで帯本体部を形成することができるので、その構造をそれだけ簡素化することができる。
【００２６】
請求項３に記載の発明によれば、縦幅を２９．５〜３０．５ｃｍとする帯用布地を半幅に縦折りし、かつ、芯材を内蔵させて帯本体部を形成することができるので、より保形性に富んだ構造を付与することができる。
【００２７】
請求項４に記載の発明によれば、帯本体部に前板を内蔵させてあるので、装着時における帯本体部のよじれを効果的に防ぐことができる。
【００２８】
請求項５に記載の発明によれば、お太鼓部内に配置したプラスチック板を介して枕部材を下支えさせてあるので、枕部材の重みでお太鼓部が倒れ込まないようにすることでその型崩れを効果的に防ぐことができる。
【００２９】
請求項６に記載の発明によれば、一側止着手段を帯本体部の一端部側から引き出された上下一対の一側紐材により形成し、他側止着手段をお太鼓部の縦開放縁側から引き出された上下一対の他側紐材により形成されているので、対応関係にある紐材相互を単に結び合わせることで、枕部材入りお太鼓帯を簡単に装着することができる。
【００３０】
請求項７に記載の発明によれば、一側止着手段を帯本体部側に設けた一方の長寸面ファスナーと他方の中寸面ファスナーとで形成し、他側止着手段をお太鼓部側に設けた一方の長寸面ファスナーと左右一対の他方の短寸面ファスナーとで形成してあるので、帯本体部側の他方の中寸面ファスナーをお太鼓部側に設けた一方の長寸面ファスナーに止着することで、簡単に仮装着することができる。また、帯本体部側に設けた一方の長寸面ファスナーをお太鼓部側に設けた左右一対の他方の短寸面ファスナーに止着することで、お太鼓部としての姿を安定的に整えてその止着状態をより確実にした状態のもとで、枕部材入りお太鼓帯をあたかもベルトを使用する感覚のもとで極く簡単に装着することができる。
【図面の簡単な説明】
【００３１】
【図１】本発明の第１の例を展開した状態で示す一部省略説明図であり、そのうちの（ａ）は正面図を、（ｂ）は背面図をそれぞれ示す。
【図２】本発明における帯本体部の第１の構成例を分解して示す説明図。
【図３】本発明における帯本体部の第２の構成例を二つ折りした状態で示す説明図。
【図４】本発明における帯本体部の第２の例の変形構成例を展開した状態で示す説明図。
【図５】本発明においてお太鼓部を形成する際に用いられるお太鼓用布地の展開図。
【図６】本発明におけるお太鼓用布地と枕部材等との配置関係を裏地を取り除いた状態で示す要部説明図。
【図７】図５に示すお太鼓用布地の縫い付け状態を示す背面図。
【図８】図７のお太鼓用布地に対する帯本体部と一側止着手段との配置関係を一部を省略して示す背面図
【図９】本発明におけるお太鼓部部分の全体形状を示す斜視図。
【図１０】本発明の第２の例を展開した状態で示す説明図であり、そのうちの（ａ）は正面図を、（ｂ）は背面図をそれぞれ示す。
【図１１】図１０に示す状態のもとでの枕部材入りお太鼓帯におけるお太鼓部の上側折込み面部を折り込まないで引き開いた状態で示す説明図であり、そのうちの（ａ）は正面図を、（ｂ）は背面図をそれぞれ示す。
【図１２】図１０の状態にある枕部材入りお太鼓帯におけるお太鼓部の上側折込み面部と第１面部とを下方に引き開いた状態で示す説明図であり、そのうちの（ａ）は正面図を、（ｂ）は背面図をそれぞれ示す。
【図１３】簡易帯の従来例を示す一部省略説明図であり、そのうちの（ａ）は正面図を、（ｂ）は背面図をそれぞれ示す。
【発明を実施するための形態】
【００３２】
図１は、本発明の第１の例を展開した状態で示す一部省略説明図であり、そのうちの（ａ）は正面図を、（ｂ）は背面図をそれぞれ示す。同図によれば、枕部材入りお太鼓帯１１の全体は、一側止着手段４２を備え、かつ、帯幅が１４．５〜１５．５ｃｍで、装着者のアンダーバスト長さを基準とした適宜の帯長さを備えてなる帯本体部１２と、縦長さが８７．５〜８９．５ｃｍで、横長さが２８．５〜２９．５ｍのお太鼓用布地２３を縦方向に折り重ね、かつ、他側止着手段５２備えてなるお太鼓部２２とで構成されている。
【００３３】
図２は、本発明における帯本体部１２側の第１の構成例を分解して示す説明図であり、装着者のアンダーバスト長さを基準とした適宜の帯長さ、例えば８０ｃｍ前後の長さを備える帯本体部１２は、帯用布地１３をいずれも縦幅が１４．５〜１５．５ｃｍの適宜の模様が付された帯用表地２０と、該帯用表地２０の裏面側に一体的に縫着される帯用裏地２１とで構成し、これら帯用表地２０と帯用裏地２１との間に前板１８を介在配置することで形成されている。
【００３４】
図３は、本発明における帯本体部１２側の第２の構成例を二つ折りした状態で示す説明図であり、その表面に適宜の絵柄が付された帯用布地１３は、縦幅を２９．５〜３０．５ｃｍとする布地を縦方向に表地１４と裏地１５とに二つ折りすることで長さ方向での一方端側に開口１７を有する袋状に形成されており、該開口１７側からその内部に芯材１６と前板１８とを送り込んで縫い付けた帯本体部１２として形成されることになる。
【００３５】
図４は、本発明における帯本体部の第２の例の変形構成例を展開した状態で示す説明図であり、図３に示すと同様にその表面に適宜の絵柄が付された帯用布地１３は、その裏地１５側のほぼ全面を覆うようにして芯材１６が配置され、該芯材１６の長さ方向での一側縁部１６ａと他側縁部１６ｂとを帯用布地１３側に縫い付けた上で、縦幅が半幅となるようにその全体を縦折りし、かつ、前板１８を内蔵させることで帯本体部１２として形成されることになる。
【００３６】
図３および図４における帯用布地１３自体は、いずれも縦幅が２９．５〜３０．５ｃｍであって、装着者のアンダーバスト長さを基準とした適宜の帯長さ、例えば８０ｃｍ前後の長さを備えて形成されている。しかも、帯本体部１２は、長さ方向での一端部１９の開放端側から一側止着手段４２である幅が１．５ｃｍ前後で長さが６５ｃｍ前後（例えば５５ｃｍ，６５ｃｍ，７５ｃｍの３タイプ）の上下一対の一側紐材４３，４４が引き出されている。
【００３７】
また、芯材１６については、図３に示す第２の構成例の場合、縦幅が１４ｃｍ前後であって、長さ（横幅）がアンダーバストを基準とした例えば７８ｃｍ前後の面サイズを備えているものが、図４に示す第２の構成例の変形例の場合、縦幅が２８〜３０ｃｍ前後であって、長さ（横幅）がアンダーバストを基準とした例えば７８ｃｍ前後の面サイズを備えているものが用いられることになる。なお、帯本体部１２は、その表面に位置する絵柄模様のうち、その大きさが最も大きいなど、特に目立つ絵柄模様については装着時にアンダーバストの中心に位置させることなく、中心位置からややずらした位置にくるように配置しておくのが望ましい。
【００３８】
一方、お太鼓部２２は、図５に示すようにそれぞれの縦長さを例えば同じ２３ｃｍ前後として上から順に縦方向に連続させた第１面部２４，第２面部２５，第３面部２６と、第１面部２４の上縁２４ａ側から例えば１３ｃｍ前後の縦長さで延出させた上側折込み面部２７と、第３面部２６の下縁２６ａ側から例えば３．５〜５．５ｃｍ前後の適宜の縦長さで延出させた下側垂れ面部２８とに仕切られる例えば全長が８７．５〜８９．５ｃｍで、横幅が２６ｃｍに縫い代分を加えた長さとなって用意されるお太鼓用布地２３を用いて形成される。
【００３９】
この場合、表地２９と裏地３０とを備えるお太鼓用布地２３は、例えば３１ｃｍ前後の横幅のうち、長さ３ｃｍ幅の左右の側縁部２３ａ，２３ｂが折込み代として用いられることになる。つまり、周縁部を縫い合わせた後のお太鼓用布地２３の実質的な面サイズは、縦長さが例えば８３ｃｍ前後で、横幅が例えば２６ｃｍ前後の面サイズを実質的に備えて用意されることになる。
【００４０】
また、お太鼓用布地２３における第２面部２５の表地２９と裏地３０との間には、図６に示すように該裏地３０側に凸曲面３７ａ側を向けた状態（つまり、装着時に凸曲面３７ａが外側を向く状態）の枕部材３７が介在配置されることになる。その場合、第２面部２５の表地２９側の左側面と右側面とには、枕部材３７の左側部と右側部とを各別に下支えさせて枕部材３７自体の型崩れを防ぐべく左右一対のプラスチック板３８，３９が配置されることになる。
【００４１】
すなわち、裏地３０を取り除いた状態で示す第６図によれば、第２面部２５における表地２９と裏地３０との間には、縦幅が例えば２１ｃｍ前後で、横幅が例えば９ｃｍ前後の適宜厚さのプラスチック板３８，３９が左右一対となって配置され、さらにこれらプラスチック板３８，３９上に裏地３０側に凸曲面３７ａ側を向けた状態のもとで枕部材３７が配置されることになる。
【００４２】
しかも、左右一対のプラスチック板３８，３９は、それぞれの下縁近傍および対向辺近傍に沿わせて適宜長さ分だけ表地２９と裏地３０とを縫い合わせた縫合部３１を形成することで、位置移動（遊動）しないようにして配置されることになる。また、枕部材３７は、その中央部の下縁近傍部位の表地２９と裏地２９とを縫い付けた縫合部３２を形成することで、プラスチック板３８，３９と同様に位置移動しないようにして配置されることになる。
【００４３】
このようにして第２面部２５における表地２９と裏地３０との間に左右一対のプラスチック板３８，３９と枕部材３７とを配置した後は、お太鼓用布地２３の背面側を示す図７からも明らかなように、その一部に非縫合部を残した上で、長さ方向での両側縁部が縫い合わされる。
【００４４】
すなわち、お太鼓用布地２３は、第３面部２６の左側縁部に例えば縦長さ１５ｃｍ前後の非縫合部３３を、第３面部２６の右側縁部の上下２カ所に例えば縦長さ１．５ｃｍ前後の非縫合部３４，３４をそれぞれ残し、その余の両側縁部における左側縁と右側縁とのそれぞれから例えば１ｃｍ離れた位置が縫い合わされることになる。
【００４５】
しかる後、図８に示されるように、お太鼓用布地２３における第３面部２６の左側縁部の非縫合部３３には、帯本体部１２の他端部２０側を例えば４ｃｍ前後差し込んで第３面部２６側に縫い付けることで帯本体部１２が一体的に取り付けられる。
【００４６】
また、第３面部２６の右側縁部の上下２カ所の非縫合部３４，３４には、他側止着手段５２である幅１．５ｃｍ前後の一対の他側紐材４５，４６の一端部を各別に差し込んだ上で、第３面部２６側に縫い付けてることで引き出し長さが５５ｃｍ前後となって各別に一体的に取り付けられる。
【００４７】
このようにしてお太鼓用布地２３側に帯本体部１２と他側止着手段５２である一対の他側紐材５３，５４が取り付けられた後は、斜視状態を示す図９からも明らかなように、お太鼓用布地２３の第１面部２４の裏面側に第２面部２５の裏面側が対面し、該第２面部２５の表面側に第３面部２６の表面側が対面する位置関係となるように折り畳むとともに、上側折込み面部２７の裏面側を第３面部２６の裏面側と対面するように折り返すことで、第１面部２４の表面と下側垂れ面部２８の表面側とを表側に位置させたお太鼓部２２の全体が形成されることになる。なお、この場合、上側折込み面部２７の先端縁部位は、図１（ｂ）に示されているように第３面部２６側に縫い付けられた状態のもとで、一側止着手段４２を備えてなる帯本体部１２側にお太鼓部２２が位置固定されることになる。
【００４８】
一方、図１０は、本発明の第２の例を展開して示す説明図であり、そのうちの（ａ）は正面図を、（ｂ）は背面図をそれぞれ示す。同図によれば、枕部材入りお太鼓帯１１の全体は、第１の例である図１（ａ）に示されているのと同様に帯本体部１２を適宜の模様が付された帯用表地２０と、該帯用表地２０の裏面側に一体的に縫着された帯用裏地２１と、これら帯用表地２０と帯用裏地２１との間に介在配置される前板１８とで形成したり、帯用布地１３を図３，図４に示すようにして縦方向に二つ折りすることで形成した上で、一側止着手段４２を具備させてなる帯本体部１２と、図５に示されているお太鼓用布地２３を縦方向に折り重ね、かつ、他側止着手段５２備えてなるお太鼓を部２２とで構成されている。なお、図１０（ａ），（ｂ）に示す本発明の第２の例は、図１（ａ），（ｂ）に示す本発明の第１の例とは帯本体部１２とお太鼓部２２との配置関係が左右で逆にはなっているものの、帯本体部１２とお太鼓部２２との基本的構成は第１の例と同じである。
【００４９】
すなわち、図１０（ａ），（ｂ）に示す本発明の第２の例における帯本体部１２自体は、帯用布地１３を、図２に示す第１の構成例のようにいずれも縦幅が１４．５〜１５．５ｃｍの適宜の模様が付された帯用表地２０と、該帯用表地２０の裏面側に一体的に縫着される帯用裏地２１とで構成し、これら帯用表地２０と帯用裏地２１との間に前板１８を介在配置することで形成したり、図３に示す第２の構成例ようにその表面に適宜の絵柄が付された帯用布地１３が縦方向に二つ折りされ、その長さ方向での一方端側に形成される開口１７側からその内部に芯材１６を前板１８と送り込んで縫い付けた帯本体部１２として形成されることになる。
【００５０】
また、図４に示す第２の構成例の変形例による場合は、その表面に適宜の絵柄が付された帯用布地１３は、その裏地１５側のほぼ全面を覆うようにして芯材１６が配置され、該芯材１６の長さ方向での一側縁部１６ａと他側縁部１６ｂとを帯用布地１３側に縫い付けた上で、縦幅が半幅となるようにその全体を縦折りし、かつ、前板１８を内蔵させることで帯本体部１２として形成されることになる。
【００５１】
しかも、本発明の第２の例における帯本体部１２は、図１０（ａ）に示すようにその表面側の一端部１９側（図示例では左端側）の中央部位には一側止着手段４２の一部としてその長さ方向に沿わせた例えば縦２．５ｃｍ前後で横１０ｃｍ前後の一方の中寸面ファスナー（例えばフックテープ）４５が、その裏面側の一端部１９側（図示例では右端側）の上縁部には図１１（ｂ）に示されているように一側止着手段４２の他部としてその長さ方向に沿わせた例えば縦２．５ｃｍ前後で横２０ｃｍ前後の他方の長寸面ファスナー（例えばループテープ）４６がそれぞれ縫着されている。
【００５２】
一方、図１０（ａ），（ｂ）に示す本発明の第２の例におけるお太鼓部２２自体は、図５に示すと同様に、それぞれの縦長さを例えば同じ２３ｃｍ前後として上から順に縦方向に連続させた第１面部２４，第２面部２５，第３面部２６と、第１面部２４の上縁２４ａ側から例えば１３ｃｍ前後の縦長さで延出させた上側折込み面部２７と、第３面部２６の下縁２６ａ側から例えば６ｃｍ前後の縦長さで延出させた下側垂れ面部２８とに仕切られる例えば全長が８７．５〜８９．５ｃｍで、横幅が２６ｃｍに縫い代分を加えた長さとなって用意されるお太鼓用布地２３を用いて形成される。
【００５３】
この場合、お太鼓用布地２３における第３面部２６の裏面側の略中央部位には、図９（ｂ）に示されているように他側止着手段５２の一部としてその長さ方向に沿わせた例えば縦２．５ｃｍ前後で横２０ｃｍ前後の他方の長寸面ファスナー（例えばループテープ）５５が縫着されている。
【００５４】
図１１（ａ），（ｂ）は、図１０（ａ），（ｂ）に示すお太鼓部２２における上側折込み面部２７側を折り込むことなく展開した状態で示す説明図である。同図の（ｂ）によれば、該折込み面部２７の裏面側の上縁部の二カ所には、他側止着手段５２の他部として例えばそれぞれが縦４ｃｍ前後で横２．５ｃｍ前後の一方の短寸面ファスナー（例えばフックテープ）５６，５６が各別に縫着されている。
【００５５】
また、お太鼓用布地２３における第２面部２５における表地２９と裏地３０との間には、図６に示すと同様に該裏地２９側に凸曲面３５ａ側を向けた状態の枕部材３７が図１１（ｂ）に示すように介在配置されることになるが、その場合、図６におけると同じ配置関係のもとで第２面部２５の左側面と右側面とに図示は省略してあるが枕部材３７の左側部と右側部とを各別に下支えする左右一対のプラスチック板も配置されることになる。なお、  図１２（ａ），（ｂ）は、図１１（ａ），（ｂ）に示すお太鼓部２２における上側折込み面部２７と第１面とを折り込まずに引き下ろした展開状態で示す説明図である。
【００５６】
本発明の第２の例は、このようにして構成されているため、図１０（ａ），（ｂ）に示す非装着状態にあるときは、図１１（ａ），（ｂ）に示されている下側折込み面部２７の裏面側の上縁部の二カ所に縫着されて他側止着手段５２を構成している各一方の短寸面ファスナー（例えばフックテープ）５６，５６は単に枕部材３７と対面するフリーの状態にある。
【００５７】
このため、お太鼓部２２は、図１０（ａ）に示す帯本体部１２の表面側の左端側に位置して一側止着手段４２の一部を構成している一方の中寸面ファスナー（例えばフックテープ）４５を、お太鼓用布地２３の第３面部２６の裏面側に縫着されて他側止着手段５２の一部を構成している他方の長寸面ファスナー（例えばループテープ）５５に止着させた装着時に、図１０（ｂ）に示すようにその裏面側の右端部の上縁部に位置する一側止着手段５２の他部を構成している他方の長寸面ファスナー（例えばループテープ）４６に折込み面部２７の裏面側の上縁部の二カ所に縫着されて他側止着手段５２の他部を構成している一方の短寸面ファスナー（例えばフックテープ）５６が止着されてお太鼓部２２として安定的な姿とすることができる。
【００５８】
本発明は、このようにして構成されているので、人体の胴回りへの装着使用は、以下の手順を踏んで行われることになる。
【００５９】
すなわち、本発明における第１の例による場合には、図１に示すように人体胴回りに枕部材入りお太鼓帯１１を展開した状態のもとで、お太鼓部２２が人体の背面側に位置するようにして帯本体部１２側を人体の胴部回りに配置した上で、一側止着片手段４２である一方の一側紐材４３は他側止着片３６である一方の他側紐材５３と、一側止着片手段４２である他方の一側紐材４４は他側止着片３６である他方の他側紐材５４とそれぞれ結んで止着させることで、人体側に枕部材入りお太鼓帯１１として装着することができることになる。
【００６０】
また、本発明における第２の例による場合には、人体胴回りに枕部材入りお太鼓帯１１を図１０に示すように展開した状態のもとで、お太鼓部２２が人体の背面側に位置するようにして帯本体部１２側を人体の胴部回りに配置した上で、一側止着片３３と他側止着片３６とを止着させることで、人体側に枕部材入りお太鼓帯１１として装着することができることになる。
【００６１】
これをより具体的に説明すれば、枕部材入りお太鼓帯１１は、例えばお太鼓部２２が人体の前面側のアンダーバスト位置にくるようにして胴部回りに配置した上で、図１１に示すように上側折込み面部２７を引き開いた状態とする。
【００６２】
すなわち、枕部材入りお太鼓帯１１は、お太鼓部２２側を図１１に示す状態とすることで、帯本体部１２において一側止着片４２の一部を構成している一方の中寸面ファスナー（例えばフックテープ）４５を他側止着片４５の一部を構成している他方の長寸面ファスナー（例えばループテープ）５５に止着させることで胴部回りに仮装着することができることになる。
【００６３】
このとき、一方の中寸面ファスナー（例えばフックテープ）４５と他方の長寸面ファスナー（例えばループテープ）５５とは、いずれも比較的長い寸法を備えているので、装着者が痩せたり太ったりしても対応できるほか、止着状態をより安定てきなものとすることもできる。
【００６４】
このようにして枕部材入りお太鼓帯１１を仮装着した後は、引き開いてあった上側折込み面部２７を引き下ろして他側止着片４５の他部を構成している一方の短寸面ファスナー（例えばフックテープ）５６，５６側を、帯本体部１２において一側止着片４２の他部を構成している他方の長寸面ファスナー（例えばループテープ）４６に止着するとともに、お太鼓部２２が背面側に位置するように回し込むことで、枕部材入りお太鼓帯１１としての装着作業を終えることができる。
【００６５】
このとき、一方の短寸面ファスナー（例えばフックテープ）５６，５６は、左右の２カ所に配置されている結果、装着時に生地を傷める可能性をそれだけ少なくすることができるだけでなく、その使用量をそれだけ少なくして所望する止着効果を得ることができることになる。
【００６６】
このため、本発明によれば、枕部材入りお太鼓帯１１は、お太鼓結びという煩雑な作業を経ることなく、予め枕部材３７を遊動困難に内蔵させてなるお太鼓部２２を備えているので、お太鼓結びと同様な装着効果を簡単に得ることができる。また、枕部材入りお太鼓帯１１は、単に一側止着手段４２と他側止着手段５２とを止着するのみで極く簡単に装着することができ、止着を解消するのみで簡単に身体から離脱させるこもできる。この場合、お太鼓部２２は、枕部材３７を内蔵させたことにより、枕部材３７自体の大きさと厚さとを減らすことができ、したがって、長時間にわたる正座や車の運転も楽に行うことができる。
【００６７】
また、帯本体部１２に前板１８を内蔵させてある場合には、装着時における帯本体部１２のよじれを効果的に防ぐことができる。さらに、お太鼓部２２内に配置したプラスチック板３８，３９を介して枕部材３７を下支えさせてある場合には、枕部材３７の重みでお太鼓部２２が倒れ込まないようにすることでその型崩れを効果的に防ぐことができる。
【００６８】
また、一側止着手段４２を帯本体部１２の一端部１９側から引き出された上下一対の一側紐材４３，４４により形成し、他側止着手段５２をお太鼓部２２の縦開放縁側から引き出された上下一対の他側紐材５３，５４により形成されている場合には、対応関係にある紐材４３，５３相互および４４，５４相互を単に結び合わせることで、枕部材入りお太鼓帯１１を簡単に装着することができる。
【００６９】
さらに、一側止着手段４２を帯本体部１２側に設けた一方の中寸面ファスナー４５と他方の長寸面ファスナー４６とで形成し、他側止着手段５２をお太鼓部２２側に設けた一方の長寸面ファスナー５５と左右一対の短寸な他方の面ファスナー５６，５６とで形成してある場合には、帯本体部１２側の一方の中寸面ファスナー４５をお太鼓部２２側に設けた一方の長寸面ファスナー５５に止着することで、簡単に仮装着することができる。また、帯本体部１２側に設けた一方の長寸面ファスナー４６をお太鼓部２２側に設けた左右一対の他方の短寸面ファスナー５６，５６に止着することで、お太鼓部２２としての姿を安定的に整えてその止着状態をよりより確実にしたな状態のもとで、枕部材入りお太鼓帯１１をあたかもベルトを使用する感覚のもとで極く簡単に装着することができる。
【００７０】
なお、本発明の第２の例において、一方の面ファスナーは、フックテープを例とし、他方の面ファスナーは、ループテープを例としているが、一方の面ファスナーをループテープとし、他方の面ファスナーをフックテープとするものであってもよい。
【符号の説明】
【００７１】
１１  枕部材入りお太鼓帯
１２  帯本体部
１３  帯用布地
１４  表地
１５  裏地
１６  芯材
１６ａ  一側縁部
１６ｂ  他側縁部
１７  開口
１８  前板
１９  一端部
２０  帯用表地
２１  帯用裏地
２２  お太鼓部
２３  お太鼓用布地
２３ａ  左側縁部
２４  第１面部
２４ａ  上縁部
２５    第２面部
２６  第３面部
２６ａ  下縁
２７  上側折込み面部
２８  下側垂れ面部
２９  表地
３０  裏地
３１，３２  縫合部
３３，３４  非縫合部
３７  枕部材
３７ａ  凸曲面
３８，３９  プラスチック板
４２  一側止着手段
４３，４４  一側紐材
４５  一方の中寸面ファスナー
４６  他方の長寸面ファスナー
５２  他側止着手段
５３，５４  他側紐材
５５  他方の長寸面ファスナー
５６  一方の短寸面ファスナー
【図１】
2015140489.tif 000003
【図２】
2015140489.tif 000004
【図３】
2015140489.tif 000005
【図４】
2015140489.tif 000006
【図５】
2015140489.tif 000007
【図６】
2015140489.tif 000008
【図７】
2015140489.tif 000009
【図８】
2015140489.tif 000010
【図９】
2015140489.tif 000011
【図１０】
2015140489.tif 000012
【図１１】
2015140489.tif 000013
【図１２】
2015140489.tif 000014
【図１３】
2015140489.tif 000015